(57)【要約】【課題】作成中の印刷ジョブや作成完了した印刷ジョブを他の装置に容易に出力して分業により印刷ジョブを作成したり実行する。【解決手段】印刷サービス毎および用紙サイズ毎に帳票形式により作成中の印刷ジョブや作成完了した印刷ジョブを出力する出力先を設定する出力先設定画面６６を、出力先を設定する上段の出力先設定欄６７と、印刷用紙の種類を設定する中段の用紙種類設定欄６８と、印刷ジョブの作成工程のうち出力する工程を設定する下段の出力工程設定欄６９との三段の設定欄として構成する。出力先設定欄６７には、プルダウンメニューによりローカルネットワークに接続された装置やプリンタ，異なるネットワークに接続された装置やプリンタが選択入力により設定できるようにする。印刷ジョブの作成中断の指示や印刷ジョブの実行指示を行なうと、設定された出力先に印刷ジョブを出力する。【選択図】        図６
2004326588.tif 000002
【特許請求の範囲】
【請求項１】
複数の印刷サービスから選択された印刷サービスについての印刷ジョブを作成する印刷ジョブ作成装置であって、
印刷サービス毎に印刷ジョブの出力先を設定可能な出力先設定手段と、
印刷ジョブの作成工程のうち少なくとも所定の工程まで印刷ジョブの作成が完了したときに、前記出力先設定手段により設定された出力先のうち該印刷ジョブの印刷サービスに対応する出力先に該印刷ジョブを出力するジョブ出力手段と、
を備える印刷ジョブ作成装置。
【請求項２】
前記出力先設定手段は、前記出力先の一つとして、該印刷ジョブ作成装置が接続されたネットワークに接続されている他の印刷ジョブ作成装置を設定可能な手段である請求項１記載の印刷ジョブ作成装置。
【請求項３】
前記出力先設定手段は、前記出力先の一つとして、該印刷ジョブ作成装置が接続された第１のローカルネットワークにグローバルなネットワークを介して接続された第２のローカルネットワークに接続されている他の印刷ジョブ作成装置を設定可能な手段である請求項１または２記載の印刷ジョブ作成装置。
【請求項４】
前記出力先設定手段は、前記出力先の一つとして他の印刷ジョブ作成装置を設定するときには、他の印刷ジョブ作成装置が設置された場所や店舗名などの管理名称を用いて設定可能な手段である請求項３記載の印刷ジョブ作成装置。
【請求項５】
請求項１ないし４いずれか記載の印刷ジョブ作成装置であって、
前記出力先設定手段は、前記出力先の一つとして、該印刷ジョブ作成装置が接続されたネットワークに接続されている印刷実行装置を設定可能な手段であり、
前記ジョブ出力手段は、印刷実行装置が出力先として設定された印刷サービスについての印刷ジョブに対しては、印刷ジョブの実行指示がなされたときに、該実行指示がなされた印刷ジョブを対応する印刷実行装置に出力する手段である
印刷ジョブ作成装置。
【請求項６】
請求項１ないし５いずれか記載の印刷ジョブ作成装置であって、
前記出力先設定手段は、前記出力先の一つとして、該印刷ジョブ作成装置が接続された第１のローカルネットワークにグローバルなネットワークを介して接続された第２のローカルネットワークに接続されている印刷実行装置を設定可能な手段であり、
前記ジョブ出力手段は、印刷実行装置が出力先として設定された印刷サービスについての印刷ジョブに対しては、印刷ジョブの実行指示がなされたときに、該実行指示がなされた印刷ジョブを対応する印刷実行装置を管理する管理装置に出力する手段である
印刷ジョブ作成装置。
【請求項７】
前記出力先設定手段は、前記出力先の一つとして印刷実行装置を設定するときには、印刷実行装置と該印刷実行装置が設置された場所や店舗名などの管理名称とを用いて設定可能な手段である請求項６記載の印刷ジョブ作成装置。
【請求項８】
前記出力先設定手段は、前記出力先の一つとして印刷実行装置を設定するときには、印刷実行装置のドライバを用いて設定可能な手段である請求項５ないし７いずれか記載の印刷ジョブ作成装置。
【請求項９】
前記出力先設定手段は、印刷サービスの用紙サイズ毎に印刷ジョブの出力先を設定可能な手段である請求項１ないし８いずれか記載の印刷ジョブ作成装置。
【請求項１０】
前記出力先設定手段は、印刷サービスの用紙種類毎に印刷ジョブの出力先を設定可能な手段である請求項９記載の印刷ジョブ作成装置。
【請求項１１】
請求項１ないし１０いずれか記載の印刷ジョブ作成装置であって、
前記出力先設定手段は、前記印刷ジョブの作成工程のうち前記ジョブ出力手段により印刷ジョブが出力先に出力され得る工程を設定可能な手段であり、
前記ジョブ出力手段は、前記出力先設定手段により設定された工程以降の印刷ジョブを対応する出力先に出力する手段である
印刷ジョブ作成装置。
【請求項１２】
前記出力先設定手段は、選択可能に一覧表示される出力先からいずれかを選択することにより出力先を設定可能な手段である請求項１ないし１１いずれか記載の印刷ジョブ作成装置。
【請求項１３】
前記出力先設定手段は、帳票形式で出力先を設定可能な手段である請求項１ないし１２いずれか記載の印刷ジョブ作成装置。
【請求項１４】
前記複数の印刷サービスは、大伸ばし印刷サービス，ダイジェスト印刷サービス，カレンダー印刷サービス，ポストカード印刷サービス，写真名刺印刷サービス，証明写真印刷サービス，シール印刷サービス，ラベル印刷サービス，アルバム印刷サービスのいずれかを含む請求項１ないし１３いずれか記載の印刷ジョブ作成装置。
【請求項１５】
前記作成工程は、画像登録工程，テンプレート選択工程，レイアウト編集工程，印刷指示工程の少なくとも一部の組み合わせにより構成されてなる請求項１ないし１４いずれか記載の印刷ジョブ作成装置。
【請求項１６】
コンピュータを、請求項１ないし１５いずれか記載の印刷ジョブ作成装置として機能させるプログラム。
【請求項１７】
コンピュータを用いて複数の印刷サービスから選択された印刷サービスについての印刷ジョブを作成して出力する印刷ジョブ作成出力方法であって、
（ａ）印刷サービス毎に印刷ジョブの出力先を設定して記憶しておき、
（ｂ）印刷ジョブの作成工程のうち少なくとも所定の工程まで印刷ジョブの作成が完了したときに、前記記憶した出力先のうち該印刷ジョブの印刷サービスに対応する出力先に該印刷ジョブを出力する
印刷ジョブ作成出力方法。
【発明の詳細な説明】
【０００１】
【発明の属する技術分野】
本発明は、印刷ジョブ作成装置および印刷ジョブ作成出力方法並びにこれらに用いるプログラムに関し、詳しくは、複数の印刷サービスから選択された印刷サービスについての印刷ジョブを作成する印刷ジョブ作成装置およびコンピュータを用いて複数の印刷サービスから選択された印刷サービスについての印刷ジョブを作成して出力する印刷ジョブ作成出力方法並びにこれら印刷ジョブ作成装置および印刷ジョブ作成出力方法に用いられるプログラムに関する。
【０００２】
【従来の技術】
従来、この種の印刷ジョブ作成装置としては、デジタルカメラで撮影した画像を読み込んで簡単な修正を施したり、ポストカードやアルバムなどのレイアウトに組み込むと共に印刷条件を設定して印刷したりするものが提案されている。この装置では、予め写真を読み込んで所望のカテゴリーに分類してフィルムのように保存しておき、印刷ジョブの作成を、フィルムの選択，ポストカードの作成やアルバム印刷，カレンダーの作成などの印刷サービスの選択，印刷する写真の選択，スタイルや印刷オプションやプリンタを指定するプリント指定，写真が組み込まれたページのレイアウトの調整，印刷位置の微調整や印刷部数の入力と共に印刷実行を指示する印刷の工程で行なっている。プリンタの選択は、プリント指定の際にＯＳ（オペレーションシステム）で通常使用するプリンタとして設定されたプリンタが選択欄にデフォルトとして表示され、プルダウンメニューからプリンタを選択することができるようになっている（非特許文献１参照）。
【０００３】
【非特許文献１】
「デジカメｄｅ！！同時プリント６ユーザーズ・マニュアル」，第１版，エー・アイ・ソフト株式会社，２００２年７月，ｐ．１００−１０４
【０００４】
【発明が解決しようとする課題】
しかしながら、こうした印刷ジョブ作成装置は、一般家庭の個人を対象に作成されているため、業務として用いた場合には、印刷効率が低いものになってしまう。個人の場合、通常はＡ４サイズやＢ４サイズまでの印刷が可能な１台のプリンタがコンピュータに接続されており、プリンタの指定は通常そのプリンタを用いるだけであるから、デフォルトとしてはそのプリンタが設定されておればよいが、業務として用いた場合には、印刷できるサイズが異なると共にセットされている用紙種類も異なる複数台のプリンタを用いて印刷することが想定され、印刷毎にプリンタを選択するものとすれば、印刷効率の低下を招いてしまう。また、この装置では、印刷ジョブは作成されて実行されるまでが連続した一連の作業として行なう必要があるから、印刷ジョブの作成や実行を複数人によって分割作業的に行なうことができず、作業効率が低いものとなってしまう。
【０００５】
本発明の印刷ジョブ作成装置および印刷ジョブ作成出力方法は、印刷ジョブの作成や実行を分業して行なうことを目的の一つとする。また、本発明の印刷ジョブ作成装置および印刷ジョブ作成出力方法は、異なるローカルネットワークに接続された他の印刷ジョブ作成装置やコンピュータに印刷ジョブを出力することを目的の一つとする。本発明の印刷ジョブ作成装置および印刷ジョブ作成出力方法は、印刷ジョブに応じた出力先を簡易に設定することを目的の一つとする。本発明の印刷ジョブ作成装置用のプログラムは、コンピュータを、印刷ジョブの作成や実行を分業して行なうことができるようにすると共に異なるローカルネットワークに接続された他の印刷ジョブ作成装置やコンピュータに印刷ジョブを出力し、印刷ジョブに応じた出力先を簡易に設定する印刷ジョブ作成装置として機能させることを目的とする。
【０００６】
【課題を解決するための手段およびその作用・効果】
本発明の印刷ジョブ作成装置および印刷ジョブ作成出力方法並びにこれらに用いるプログラムは、上述の目的の少なくとも一部を達成するために以下の手段を採った。
【０００７】
本発明の印刷ジョブ作成装置は、
複数の印刷サービスから選択された印刷サービスについての印刷ジョブを作成する印刷ジョブ作成装置であって、
印刷サービス毎に印刷ジョブの出力先を設定可能な出力先設定手段と、
印刷ジョブの作成工程のうち少なくとも所定の工程まで印刷ジョブの作成が完了したときに、前記出力先設定手段により設定された出力先のうち該印刷ジョブの印刷サービスに対応する出力先に該印刷ジョブを出力するジョブ出力手段と、
を備えることを要旨とする。
【０００８】
この本発明の印刷ジョブ作成装置では、印刷サービス毎に印刷ジョブの出力先を設定しておくことにより、印刷ジョブの作成工程のうち少なくとも所定の工程まで印刷ジョブの作成が完了したときに、この設定された出力先のうち印刷ジョブの印刷サービスに対応する出力先に印刷ジョブを出力する。即ち、作成工程のうち所定の工程まで完了した印刷ジョブを自動的に出力先に出力することができる。したがって、出力先では作成工程のうち所定の工程まで完了した印刷ジョブを引き続いて作成すると共に作成した印刷ジョブを実行することができる。この結果、印刷ジョブの作成や実行を分業して行なうことができ、印刷ジョブの作成や実行を効率よく行なうことができる。
【０００９】
こうした本発明の印刷ジョブ作成装置において、前記出力先設定手段は、前記出力先の一つとして、該印刷ジョブ作成装置が接続されたネットワークに接続されている他の印刷ジョブ作成装置を設定可能な手段であるものとすることもできるし、前記出力先の一つとして、該印刷ジョブ作成装置が接続された第１のローカルネットワークにグローバルなネットワークを介して接続された第２のローカルネットワークに接続されている他の印刷ジョブ作成装置を設定可能な手段であるものとすることもできる。こうすれば、その印刷ジョブ作成装置が接続されたローカルネットワークや他のローカルネットワークに接続された他の印刷ジョブ作成装置に、作成工程のうち所定の工程まで完了した印刷ジョブを出力することができる。これらの態様のうち後者の態様の本発明の印刷ジョブ作成装置において、前記出力先設定手段は、前記出力先の一つとして他の印刷ジョブ作成装置を設定するときには、他の印刷ジョブ作成装置が設置された場所や店舗名などの管理名称を用いて設定可能な手段であるものとすることもできる。こうすれば、出力先の設定を管理名称を用いて感覚的に行なうことができる。
【００１０】
また、本発明の印刷ジョブ作成装置において、前記出力先設定手段は前記出力先の一つとして該印刷ジョブ作成装置が接続されたネットワークに接続されている印刷実行装置を設定可能な手段であり、前記ジョブ出力手段は印刷実行装置が出力先として設定された印刷サービスについての印刷ジョブに対しては印刷ジョブの実行指示がなされたときに該実行指示がなされた印刷ジョブを対応する印刷実行装置に出力する手段であるものとすることもできるし、前記出力先設定手段は前記出力先の一つとして該印刷ジョブ作成装置が接続された第１のローカルネットワークにグローバルなネットワークを介して接続された第２のローカルネットワークに接続されている印刷実行装置を設定可能な手段であり、前記ジョブ出力手段は印刷実行装置が出力先として設定された印刷サービスについての印刷ジョブに対しては印刷ジョブの実行指示がなされたときに該実行指示がなされた印刷ジョブを対応する印刷実行装置を管理する管理装置に出力する手段であるものとすることもできる。こうすれば、その印刷ジョブ作成装置が接続されたローカルネットワークや他のローカルネットワークに接続された印刷実行装置に、作成工程のうち所定の工程まで完了した印刷ジョブを出力して印刷ジョブを実行することができる。これらの態様のうち後者の態様の本発明の印刷ジョブ作成装置において、前記出力先設定手段は、前記出力先の一つとして印刷実行装置を設定するときには、印刷実行装置と該印刷実行装置が設置された場所や店舗名などの管理名称とを用いて設定可能な手段であるものとすることもできる。こうすれば、出力先の設定を管理名称を用いて感覚的に行なうことができる。また、これらの態様の本発明の印刷ジョブ作成装置において、前記出力先設定手段は、前記出力先の一つとして印刷実行装置を設定するときには、印刷実行装置のドライバを用いて設定可能な手段であるものとすることもできる。
【００１１】
本発明の印刷ジョブ作成装置において、前記出力先設定手段は、印刷サービスの用紙サイズ毎に印刷ジョブの出力先を設定可能な手段であるものとしたり、印刷サービスの用紙種類毎に印刷ジョブの出力先を設定可能な手段であるものとすることもできる。こうすれば、用紙サイズ毎や用紙種類毎に印刷ジョブを異なる出力先に出力することができる。
【００１２】
本発明の印刷ジョブ作成装置において、前記出力先設定手段は前記印刷ジョブの作成工程のうち前記ジョブ出力手段により印刷ジョブが出力先に出力され得る工程を設定可能な手段であり、前記ジョブ出力手段は前記出力先設定手段により設定された工程以降の印刷ジョブを対応する出力先に出力する手段であるものとすることもできる。こうすれば、作成工程のうち設定された工程以降に自動的に印刷ジョブを対応する出力先に出力することができる。
【００１３】
本発明の印刷ジョブ作成装置において、前記出力先設定手段は、選択可能に一覧表示される出力先からいずれかを選択することにより出力先を設定可能な手段であるものとすることもできるし、帳票形式で出力先を設定可能な手段であるものとすることもできる。こうすれば、出力先を容易に設定することができる。
【００１４】
本発明の印刷ジョブ作成装置において、前記複数の印刷サービスは、大伸ばし印刷サービス，ダイジェスト印刷サービス，カレンダー印刷サービス，ポストカード印刷サービス，写真名刺印刷サービス，証明写真印刷サービス，シール印刷サービス，ラベル印刷サービス，アルバム印刷サービスのいずれかを含むものとすることもできる。また、本発明の印刷ジョブ作成装置において、前記作成工程は、画像登録工程，テンプレート選択工程，レイアウト編集工程，印刷指示工程の少なくとも一部の組み合わせにより構成されてなるものとすることもできる。
【００１５】
本発明の印刷ジョブ作成装置用のプログラムは、コンピュータを、上述のいずれかの態様の本発明の印刷ジョブ作成装置、即ち、基本的には、複数の印刷サービスから選択された印刷サービスについての印刷ジョブを作成する印刷ジョブ作成装置であって、印刷サービス毎に印刷ジョブの出力先を設定可能な出力先設定手段と、印刷ジョブの作成工程のうち少なくとも所定の工程まで印刷ジョブの作成が完了したときに、前記出力先設定手段により設定された出力先のうち該印刷ジョブの印刷サービスに対応する出力先に該印刷ジョブを出力するジョブ出力手段と、を備える印刷ジョブ作成装置として機能することを要旨とする。
【００１６】
本発明の印刷ジョブ作成装置用のプログラムによれば、コンピュータを上述のいずれかの態様の本発明の印刷ジョブ作成装置として機能させるから、本発明の印刷ジョブ作成装置が奏する効果、例えば、作成工程のうち所定の工程まで完了した印刷ジョブを自動的に出力先に出力することができる効果や印刷ジョブの作成や実行を分業して行なうことができる効果，印刷ジョブの作成や実行を効率よく行なうことができる効果などと同様な効果を奏することができる。
【００１７】
本発明の印刷ジョブ作成出力方法は、
コンピュータを用いて複数の印刷サービスから選択された印刷サービスについての印刷ジョブを作成して出力する印刷ジョブ作成出力方法であって、
（ａ）印刷サービス毎に印刷ジョブの出力先を設定して記憶しておき、
（ｂ）印刷ジョブの作成工程のうち少なくとも所定の工程まで印刷ジョブの作成が完了したときに、前記記憶した出力先のうち該印刷ジョブの印刷サービスに対応する出力先に該印刷ジョブを出力する
ことを要旨とする。
【００１８】
この本発明の印刷ジョブ作成出力方法によれば、印刷サービス毎に印刷ジョブの出力先を設定して記憶しておき、印刷ジョブの作成工程のうち少なくとも所定の工程まで印刷ジョブの作成が完了したときに、この記憶された出力先のうち印刷ジョブの印刷サービスに対応する出力先に印刷ジョブを出力するから、作成工程のうち所定の工程まで完了した印刷ジョブを自動的に出力先に出力することができる。したがって、出力先では作成工程のうち所定の工程まで完了した印刷ジョブを引き続いて作成すると共に作成した印刷ジョブを実行することができる。この結果、印刷ジョブの作成や実行を分業して行なうことができ、印刷ジョブの作成や実行を効率よく行なうことができる。
【００１９】
【発明の実施の形態】
次に、本発明の実施の形態を実施例を用いて説明する。図１は、本発明の一実施例である印刷ジョブ作成装置２０ａ〜２０ｃを備える印刷ジョブ管理システム１０の構成の概略を示す構成図である。実施例の印刷ジョブ管理システム１０は、図示するように、２台の印刷ジョブ作成装置２０ａ，２０ｂやインクジェットプリンタ４６などが接続されたローカルネットワーク１４と印刷ジョブ作成装置２０ｃやインクジェットプリンタ４７，大型プリンタ４８などが接続されたローカルネットワーク１５とが各々ファイヤウォール１６，１７を介してインターネットのようなグローバルなネットワーク１２により接続されて構成されており、ネットワーク１２にはジョブ管理装置４０が接続されている。説明の容易のため、ローカルネットワーク１４は店舗Ａに構築されており、ローカルネットワーク１５は店舗Ｂに構築されているものとする。即ち、店舗Ａには２台の印刷ジョブ作成装置２０ａ，２０ｂとインクジェットプリンタ４６とが設置されてローカルネットワーク１４に接続されており、店舗Ｂには印刷ジョブ作成装置２０ｃとインクジェットプリンタ４７と大型プリンタ４８とが設置されてローカルネットワーク１５に接続されているものとするのである。なお、印刷ジョブ作成装置２０ａ〜２０ｃは同一の装置であるから、各装置を区別しないときには印刷ジョブ作成装置２０と総称する。
【００２０】
図２は、実施例の印刷ジョブ作成装置２０の構成の概略を示す説明図である。実施例の印刷ジョブ作成装置２０は、アプリケーションソフトウエアとしての図示しない印刷ジョブ作成プログラムと印刷に用いるテンプレート画像などの支援データとがインストールされた一般的なコンピュータとして構成されており、印刷ジョブ作成プログラムが実行されたときに印刷ジョブ作成装置として機能する。実施例の印刷ジョブ作成装置２０は、カレンダーの作成やポストカードの作成など複数の印刷サービスとしての印刷ジョブを作成すると共に印刷ジョブの実行を指示する装置であり、図２に示すように、機能ブロックとして、複数の印刷サービスから印刷ジョブを作成するサービスの設定を受け付けるサービス設定管理部２１と、印刷ジョブに用いる画像の登録を管理する画像登録管理部２２と、印刷ジョブに用いるテンプレートの設定を管理するテンプレート設定管理部２３と、画像のレイアウトを調整や画像に施す編集を管理するレイアウト編集管理部２４と、印刷の設定や指示を管理する印刷管理部２５と、作成中の印刷ジョブの中断処理を行なうジョブ中断処理部２６と、中断された作成中の印刷ジョブ（以下、作成中ジョブという）の作成を再開するジョブ再開処理部２７と、印刷の実行指示がなされた印刷ジョブの送信を管理するジョブ送信管理部２８と、ジョブ管理装置４０から送信される印刷を実行すべき印刷ジョブの受信を管理するジョブ受信管理部２９と、印刷ジョブの出力先を設定すると共に管理する出力先設定管理部３０とを備える。実施例の印刷ジョブ作成装置２０は、図示しないが、この他、作成中の印刷ジョブを他の印刷ジョブ作成装置２０に送受信するためのジョブ入出力管理部や作成中の印刷ジョブや印刷実行済みのジョブを複製して新たな印刷ジョブの作成を開始するジョブ複製処理部なども備える。図１には、紙面の都合上、ローカルネットワーク１４，１５には、２台または１台の印刷ジョブ作成装置２０ａ〜２０ｃが接続されているものとして示したが、両ローカルネットワーク１４，１５には複数台の印刷ジョブ作成装置２０を接続することができる。
【００２１】
インクジェットプリンタ４６やインクジェットプリンタ４７は、Ａ４サイズまでの高品質なカラー印刷が可能なプリンタとして構成されており、大型プリンタ４８は、Ａ１サイズまでの高品質なカラー印刷が可能なプリンタとして構成されている。また、図１には、紙面の都合上、ローカルネットワーク１４には１台のインクジェットプリンタ４６が、ローカルネットワーク１５には１台のインクジェットプリンタ４７と１台の大型プリンタ４８とが接続されているものとして示したが、ローカルネットワーク１４，１５には同一または異なる機種の複数台のプリンタを接続することができる。
【００２２】
図３は、ジョブ管理装置４０の構成の概略を示す構成図である。ジョブ管理装置４０は、各印刷ジョブ作成装置２０から送信された印刷ジョブのファイルを受け付けると共にそのファイルの送信先として指定された他の印刷ジョブ作成装置２０に送信するための管理サーバとして構成されており、図示するように、印刷ジョブ作成装置２０から送信されるジョブファイルの受信を管理するジョブ受信管理部４１と、ジョブファイルの送信先としての印刷ジョブ作成装置２０への送信を管理するジョブ送信管理部４２と、ジョブ受信管理部４１によるジョブファイルの受信の管理に用いられると共にジョブ送信管理部４２によるジョブファイルの送信の管理に用いられるジョブ管理データベース４４とを備える。
【００２３】
次に、こうして構成された実施例の印刷ジョブ作成装置２０やジョブ管理装置４０の動作について説明する。以下は、印刷ジョブ作成装置２０の動作を中心に説明し、必要に応じてジョブ管理装置４０の動作について説明する。
【００２４】
図４は、アプリケーションソフトウエアとしての図示しない印刷ジョブ作成プログラムを起動したときの印刷ジョブ作成装置２０の画面上に表示されるメニュー画面６０の一例を示す説明図である。図４のメニュー画面６０には、印刷サービスを選択するためのサービス選択領域６１と、印刷ジョブを一覧表示するジョブリスト領域６２とが設けられている。サービス選択領域６１には、プリントサービスの選択ボタンとして、画像を大判印刷する「大伸ばし」ボタン６１ａ，複数の画像をダイジェストとして印刷する「ダイジェスト」ボタン６１ｂ，画像を用いてカレンダーを印刷する「カレンダー」ボタン６１ｃ，種々のデザインのテンプレートを用いて画像を印刷する「アイデア」ボタン６１ｄ，ハガキに画像を印刷する「ポストカード」ボタン６１ｅ，写真付きの名刺を印刷する「写真名刺」ボタン６１ｆ，証明写真を印刷する「証明写真」ボタン６１ｇ，多数の画像のインデックスを印刷する「インデックス」ボタン６１ｈ，画像を用いたシールを作成する「シール」ボタン６１ｉ，ＣＤやＤＶＤなどのラベルを作成する「ラベル」６１ｊなど、アルバムサービスの選択ボタンとして、種々のデザインのテンプレートを用いてアルバムを作成する「デザイン」ボタン６１ｋ，シンプルなテンプレートを用いてアルバムを作成する「シンプル」６１ｌなど、ＣＤ書き込みサービスとして、画像をそのままＣＤに書き込む「ＣＤ書き込み（無変換）」ボタン６１ｍ，画像のサイズを１６００×１２００にリサイズしてＣＤに書き込む「ＣＤ書き込み（１６００×１２００）」ボタン６１ｎなど、が用意されている。ジョブリスト領域６２には、作成中ジョブについて、その状況，ジョブＩＤ，サービス名，受付時間，更新時間，用紙サイズ，部数，印刷ジョブの出力先，コメントが一覧表示されるようになっている。また、メニュー画面６０には、ジョブリスト領域６２の下方には、「アプリケーションの終了」ボタン６３が設けられている他、画像の取込先の設定やサービスの設定，作業フォルダの設定，ＣＤ書き込みの設定，カラーマネージメントの設定などの各種設定を行なう「環境設定」ボタン６４が設けられている。
【００２５】
「環境設定」ボタン６４を操作した際に表示される環境設定選択画面６５の一例を図５に示す。この図５の例では、サービスの設定が選択されており、このサービスの設定の画面から「出力先の設定」ボタン６５ａを操作することにより出力先設定画面６６が表示され、印刷ジョブの出力先の設定を行なうことができるようになっている。出力先設定画面６６の一例を図６に示す。実施例の出力先設定画面６６は、図示するように、左側に印刷サービスの一覧が表示されると共に上覧に用紙サイズが表示された帳票形式として構成されており、印刷サービス毎に用紙サイズ毎に出力先が設定できるようになっている。各設定領域は、出力先を設定する上段の出力先設定欄６７と、印刷用紙の種類を設定する中断の用紙種類設定欄６８と、出力先に出力する工程を設定する下段の出力工程設定欄６９との三段の設定欄として構成されている。各設定欄６７，６８，６９は、プルダウンメニュー６７ａ，６８ａ，６９ａを開いて表示される選択可能な出力先や用紙種類，出力工程から選択することにより設定できるようになっている。
【００２６】
店舗Ａの印刷ジョブ作成装置２０ａにより出力先設定欄６７のプルダウンメニュー６７ａを開いたときの一例を図７に示す。図示するように、出力先設定欄６７のプルダウンメニュー６７ａには、店舗Ａのローカルネットワーク１４に接続された他の印刷ジョブ作成装置２０ｂやインクジェットプリンタ４６が表示される他、店舗Ｂの印刷ジョブ作成装置２０ｃやインクジェットプリンタ４７，大型プリンタ４８も表示される。ユーザは、印刷サービス毎および用紙サイズ毎の出力先設定欄６７のプルダウンメニュー６７ａから所望の出力先を選択することにより、印刷ジョブを出力する出力先を設定することができる。ここで、ローカルネットワーク１４に接続された印刷ジョブ作成装置２０ｂが選択されて設定されたときには、その装置ＩＤとＩＰアドレスとが出力先として設定され、ローカルネットワーク１４に接続されたプリンタ（インクジェットプリンタ４６）が選択されて設定されたときには、そのプリンタを印刷ジョブ作成装置２０ａに適合させるために印刷ジョブ作成装置２０ａにインストールされたプリンタドライバが用いられて印刷されるようプリンタドライバ名が出力先として設定される。また、ローカルネットワーク１５に接続された印刷ジョブ作成装置２０ｃが選択されて設定されたときには、その装置ＩＤとＩＰアドレスとが出力先として設定され、ローカルネットワーク１５に接続されたプリンタ（インクジェットプリンタ４７や大型プリンタ４８）が選択されて設定されたときには、ローカルネットワーク１５に接続された印刷ジョブ作成装置２０ｃのうち対応するプリンタのプリンタドライバがインストールされた印刷ジョブ作成装置２０ｃの装置ＩＤと対応するプリンタＩＤとが設定される。こうしたプルダウンメニュー６７ａに表示される出力先やその設定項目については、それらを関連付けたテーブルを印刷ジョブ作成装置２０毎に作成して用いるものとしてもよいし、作成されたテーブルをジョブ管理装置４０から各印刷ジョブ作成装置２０に配信して用いるものとしてもよい。
【００２７】
店舗Ａの印刷ジョブ作成装置２０ａにより用紙種類設定欄６８のプルダウンメニュー６８ａを開いたときの一例を図８に示す。図示するように、用紙種類設定欄６８のプルダウンメニュー６８ａには、普通紙やスーパーファイン専用紙，フォトプリント紙などの用紙種類が選択可能に表示される。ユーザは、印刷サービス毎および用紙サイズ毎の用紙種類設定欄６８のプルダウンメニュー６８ａから所望の用紙種類を選択することにより、デフォルトの用紙種類を設定することができる。
【００２８】
店舗Ａの印刷ジョブ作成装置２０ａにより出力工程設定欄６９のプルダウンメニュー６９ａを開いたときの一例を図９に示す。図示するように、出力工程設定欄６９のプルダウンメニュー６９ａには、テンプレートの選択完了やレイアウト編集の完了，印刷条件の設定完了などの印刷ジョブの作成工程が選択可能に表示される。ユーザは、印刷サービス毎および用紙サイズ毎の出力工程設定欄６９のプルダウンメニュー６９ａから所望の工程を選択することにより、選択した工程に至った印刷ジョブを出力先設定欄６７に設定された出力先に出力する。ここで、実施例の出力工程設定欄６９のプルダウンメニュー６９ａでは、出力先設定欄６７で出力先としてプリンタが選択されたときにはいずれの工程も非アクティブとなって選択できないようになっている。これは、作成途中の印刷ジョブをプリンタに出力しないようにするためである。
【００２９】
ユーザは、こうした出力先設定画面６６の印刷サービス毎および用紙サイズ毎に出力工程設定欄６９で設定した工程まで作成した印刷ジョブを出力先設定欄６７で設定した出力先に出力することができる。なお、こうした出力先の設定や用紙種類の設定，出力工程の設定は、出力先設定管理部３０により実行されて管理されている。
【００３０】
実施例の印刷ジョブ作成装置２０による印刷ジョブの作成は、図１０に例示する印刷ジョブ作成処理に基づいて行なわれる。印刷ジョブ作成処理は、まず、印刷サービスの選択を受け付ける処理から始まる（ステップＳ１００）。印刷サービスの選択は、ユーザが図４に例示したメニュー画面６０のサービス選択領域６１からいずれかのサービスボタン６１ａ〜６１ｍを選択することにより行なわれる。印刷ジョブ作成装置２０のサービス設定管理部２１は、こうしたメニュー画面６０の表示や選択されたサービスの選択の受け付け及び選択されたサービスによる印刷ジョブの作成の開始を管理している。
【００３１】
印刷サービスが選択されると、実施例の印刷ジョブ作成装置２０は、図１１に例示する画像登録画面７０を表示して、選択された印刷サービスに用いる画像の登録処理を実行する（ステップＳ１１０）。図１１の例の画像登録画面７０は、印刷ジョブの作成の工程を示す工程表示領域７１と、画像の登録処理を行なう画像登録処理領域７２とに区分けされている。工程表示領域７１には、選択された印刷サービスの種類を示す「サービス種類表示」ボタン７１ａや印刷ジョブの作成工程としての「画像登録」ボタン７１ｂ，「テンプレート選択」ボタン７１ｃ，「レイアウト編集」ボタン７１ｄ，「印刷」ボタン７１ｅ，印刷ジョブの作成を中断してメニュー画面６０に戻る「メニューに戻る」ボタン７１ｆが設けられている。画像登録処理領域７２は、「画像登録」ボタン７１ｂと連結して表示されており、印刷ジョブの作成工程が画像登録の工程にあることが解るようになっている。
【００３２】
この画像登録処理領域７２には、作業領域７３が設けられており、この作業領域７３には、画像が格納されている格納場所（ディレクトリやフォルダ）を選択することによりその格納場所に格納されている画像のサムネイルとファイル名とを一覧表示するための画像選択領域７４と、登録された画像のサムネイルとファイル名とを一覧表示するための登録画像表示領域７５とが設けられている。また、作業領域７３には、画像選択領域７４で選択された画像を登録して登録画像表示領域７５で表示するための「登録」ボタン７６や画像選択領域７４に表示されたすべての画像を登録して登録画像表示領域７５で表示するための「すべて登録」ボタン７７も設けられている。したがって、ユーザは、画像選択領域７４の格納場所表示領域７４ａから画像の格納場所を選択し、この選択により画像選択領域７４の画像表示領域７４ｂに表示される画像（選択された格納場所に格納された画像）から所望の画像を選択して「登録」ボタン７６を操作することにより所望の画像を登録して登録画像表示領域７５の画像表示領域７５ａに表示することができる。登録画像表示領域７５には、画像表示領域７５ａで選択した画像の登録を取り消すための「登録削除」ボタン７５ｂや登録されたすべての画像の登録を取り消すための「すべて登録削除」ボタン７５ｃなども設けられている。また、画像登録処理領域７２には、画像の登録処理を終了して次の作成工程に進むための「次のステップへ」ボタン７２ａや前の作成工程に戻る「前のステップへ」ボタン７２ｂも設けられている。なお、画像登録画面７０における「前のステップへ」ボタン７２ｂは、画像登録処理を終了してメニュー画面６０に戻るためのボタンとなるから、機能的には「メニューに戻る」ボタン７１ｆと同一となる。印刷ジョブ作成装置２０の画像登録管理部２２は、こうした画像の登録処理を管理している。
【００３３】
画像が登録されて「次のステップへ」ボタン７２ａが操作されると、図１２に例示するテンプレート選択画面８０を表示して、登録された画像をはめ込むためのテンプレートの選択処理を実行する（ステップＳ１２０）。図１２の例のテンプレート選択画面８０は、図１１に例示した画像登録画面７０の工程表示領域７１と同様の工程表示領域８１と、テンプレートの選択を行なうテンプレート選択処理領域８２とに区分けされている。このテンプレート選択画面８０では、工程表示領域８１の「テンプレート選択」ボタン８１ｃがテンプレート選択処理領域８２と連結されており、印刷ジョブの作成工程がテンプレート選択の工程にあることが解るようになっている。
【００３４】
テンプレート選択処理領域８２には、テンプレートの設定を行なうための設定領域８３と、テンプレートを選択するためのテンプレート選択領域８４とが設けられている。設定領域８３には、テンプレートとして使用する使用レイアウトを直接入力する入力欄やフチなしプリントを設定するためのチェックボックス，「Ｐｒｉｎｔ  Ｉｍａｇｅ  Ｍａｔｃｈｉｎｇ  ２」や「Ｅｘｉｆ  Ｐｒｉｎｔ」を使用してデジタルカメラとプリンタとのイメージマッチングを行なうためのチェックボックスが設けられている。テンプレート選択領域８４には、テンプレートの種類毎にタグ８５ａ〜８５ｆが設けられており、各タグ８５ａ〜８５ｆには、テンプレートのサムネイルとそのファイル名とを一覧表示するためのテンプレート表示領域８６ａ〜８６ｆが設けられている。ユーザは、各タグ８５ａ〜８５ｆから所望のタグを選択すると共に選択したタグのテンプレート表示領域に表示されたテンプレートから所望のテンプレートを選択することにより、テンプレートの選択を行なうことができる。なお、このテンプレートの選択が行なわれると、設定領域８３の使用レイアウトの入力欄に選択したファイル名が表示されるようになっている。なお、テンプレート選択領域８４には、用紙サイズを選択するための用紙サイズの選択入力欄も設けられている。また、テンプレート選択処理領域８２には、画像登録処理領域７２と同様に「次のステップへ」ボタン８２ａと「前のステップへ」ボタン８２ｂとが設けられている。テンプレート選択画面８０では、「前のステップへ」ボタン８２ｂが操作されると、画像登録画面７０を表示して印刷ジョブの作成工程における前の工程である画像の登録処理８ステップＳ１１０）に戻る。印刷ジョブ作成装置２０のテンプレート設定管理部２３は、こうしたテンプレートの選択処理を管理している。
【００３５】
テンプレートが選択されて「次のステップへ」ボタン８２ａが操作されると、図１３に例示するレイアウト編集画面９０を表示して、画像のレイアウトを調整したり編集を施すレイアウト編集処理を実行する（ステップＳ１３０）。図１３の例のレイアウト編集画面９０は、図１１に例示した画像登録画面７０や図１２に例示したテンプレート選択画面８０の工程表示領域７１，８１と同様の工程表示領域９１と、画像のレイアウトや編集などを行なうためのレイアウト編集処理領域９２とに区分けされている。このレイアウト編集画面９０では、工程表示領域９１の「レイアウト編集」ボタン９１ｄがレイアウト編集処理領域９２と連結されており、印刷ジョブの作成工程がレイアウト編集の工程にあることが解るようになっている。
【００３６】
レイアウト編集処理領域９２には、選択されたテンプレートと登録された画像とを組み合わせて画像のレイアウトを行なったり画像の編集を行なうためのレイアウト編集領域９３と、テンプレートに組み合わせる画像を選択するための画像選択領域９４と、選択したテンプレートのサムネイルが表示されるサムネイル表示領域９７とが設けられている。画像選択領域９４には、登録画像を選択するためのタグ９５ａとテキストを書き込むためのタグ９５ｂとが設けられており、タグ９５ａには登録された画像とそのファイル名を一覧表示する画像表示領域９６ａが設けられている。また、図示しないが、タグ９５ｂには、テキストを入力するためのテキスト入力欄が設けられている。画像選択領域９４には、選択された画像をレイアウト編集領域９３のテンプレートに配置する「配置」ボタン９４ａや選択された画像をレイアウト編集領域９３のテンプレートに配置された画像と入れ替える「入れ替え」ボタン９４ｂと、選択された１枚の画像をテンプレートの複数の領域に配置する「複数配置」ボタン９４ｃとが設けられている。したがって、ユーザは、タグ９５ａの画像表示領域９６ａに表示された画像から所望の画像を選択して「配置」ボタン９４ａを操作することにより選択されたテンプレートの領域に順に画像を配置することができる。また、レイアウト編集領域９３のテンプレートの領域に画像が配置されている状態でタグ９５ａの画像表示領域９６ａに表示された画像から所望の画像を選択して「入れ替え」ボタン９４ｂを操作することによりテンプレートの領域の画像を入れ替えることができる。さらに、タグ９５ａの画像表示領域９６ａに表示された画像から所望の画像を選択して「複数配置」ボタン９４ｃを操作することによりテンプレートの複数の領域に選択した画像を複数配置することができる。レイアウト編集処理領域９２には、画像登録画面７０やテンプレート選択画面８０と同様に「次のステップへ」ボタン９２ａや「前のステップへ」ボタン９２ｂが設けられている。また、レイアウト編集処理領域９２には、レイアウト編集領域９３に表示されたテンプレートに組み込まれた画像に編集を加えるための「編集」ボタン９２ｃとレイアウト編集領域９３の表示倍率を変更するための「表示倍率」ボタン９２ｄとが設けられている。レイアウト編集領域９３のテンプレートに配置された画像を選択して「編集」ボタン９２ｃを操作すると、プルダウンメニューが表示され、回転，フレームの回転，上下左右の反転，トリミング，型抜き，輪郭をソフト・シャープにする，明るさ・コントラストの設定，色を変える，セピア・モノクロ調に変換，クロスフィルタ，赤目の修正，クローン，自動修正などが選択できるようになっている。印刷ジョブ作成装置２０のレイアウト編集管理部２４は、こうした画像のレイアウトや編集処理を管理している。
【００３７】
レイアウト編集画面９０により選択されたテンプレートに画像を組み込み、更に所望の編集を施して「次のステップへ」ボタン９２ａが操作されると、図１４に例示する印刷画面１００を表示して、種々の印刷設定を行なって印刷する印刷処理を実行する（ステップＳ１４０）。図１４の例の印刷画面１００は、画像登録画面７０やテンプレート選択画面８０，レイアウト編集画面９０の工程表示領域７１，８１，９１と同様の工程表示領域１０１と、印刷設定と印刷実行とを指示するための印刷処理領域１０２とに区分けされている。この印刷画面１００では、工程表示領域１０１の「印刷」ボタン１０１ｅが印刷処理領域１０２と連結されており、印刷ジョブの作成工程が印刷の工程にあることが解るようになっている。
【００３８】
印刷処理領域１０２には、テンプレートに組み込まれレイアウトや編集が施されて印刷される画像を表示する印刷画像表示領域１０３と、印刷ジョブの情報を表示するジョブ情報表示領域１０４と、印刷条件を設定する印刷条件設定領域１０５と、プリンタを設定するプリンタ設定領域１０６とが設けられている。ジョブ情報表示領域１０４には、印刷ジョブの情報としてジョブＩＤや受付日時，サービス，テンプレートＩＤなどが表示されており、印刷部数を選択入力する部数設定欄も設けられている。印刷条件設定領域１０５には、プリント範囲を設定するためのラジオボタンや設定欄，プリント対象を設定するためのラジオボタン，ページ番号を印刷するか否かを設定するためのラジオボタンが設けられている。プリンタ設定領域１０６には、印刷するプリンタを選択するプリンタ選択欄やカラーマネジメントシステム（ＣＭＳ）を使用するか否かを選択するためのチェックボックス，印刷領域を設定する領域設定入力欄などが設けられており、用紙サイズや選択したプリンタに設定されている用紙タイプも表示される。ここで、プリンタ設定領域１０６のプリンタ選択欄には、環境設定として図６に例示した出力先設定画面６６を用いて印刷サービス毎および用紙サイズ毎に設定されたデフォルトのプリンタが表示される。印刷ジョブを実行するプリンタをデフォルトのプリンタから変更するときには、プリンタ設定領域１０６のプリンタ選択欄のプルダウンメニューを開いて表示されるプリンタを選択することにより行なう。また、用紙タイプには環境設定として図６に例示した出力先設定画面６６を用いて印刷サービス毎および用紙サイズ毎に設定された用紙種類が表示される。印刷処理領域１０２には、「前のステップへ」ボタン１０２ｂや印刷の実行を指示する「印刷開始」ボタン１０２ｃ，印刷の代わりに画像ファイルとして所望のディレクトリやフォルダに書き出す「書き出し」ボタン１０２ｄが設けられている。実施例の印刷ジョブ作成装置２０における印刷ジョブの作成は、この「印刷開始」ボタン１０２ｃや「書き出し」ボタン１０２ｄが操作される前までの処理であり、「印刷開始」ボタン１０２ｃや「書き出し」ボタン１０２ｄの操作は、こうした印刷ジョブの実行となる。なお、図１０の印刷ジョブ作成処理では、この段階で終了するものとして示した。実施例の印刷ジョブ作成装置２０の印刷管理部２５は、こうした印刷に関する処理を管理している。
【００３９】
次に、こうした印刷ジョブ作成処理により印刷ジョブを作成している最中に印刷ジョブの作成を中断したとき、即ち、画像登録画面７０やテンプレート選択画面８０，レイアウト編集画面９０，印刷画面１００の各画面で「メニューに戻る」ボタン７１ｆ，８１ｆ，９１ｆ，１０１ｆが操作されたときの処理について説明する。この処理はジョブ中断処理部２６により実行される。以下、説明の容易のため、店舗Ａの印刷ジョブ作成装置２０ａで処理が行なわれたときを事例として説明する。
【００４０】
図１５は、各画面で「メニューに戻る」ボタン７１ｆ，８１ｆ，９１ｆ，１０１ｆが操作されたときに印刷ジョブ作成装置２０ａで実行されるジョブ中断処理の一例を示すフローチャートである。ジョブ中断処理が実行されると、まず、印刷ジョブの印刷サービスと用紙サイズとに基づいて出力先設定画面６６を用いて設定された印刷ジョブを出力すべき出力先と出力工程とを入力すると共に（ステップＳ２００）、入力した出力先が店舗Ａのローカルネットワーク１４に接続されているローカルプリンタ（インクジェットプリンタ４６）であるか否かを判断する（ステップＳ２１０）。
【００４１】
出力先がローカルプリンタ（インクジェットプリンタ４６）であるときは、作成中の印刷ジョブの状態を記憶し（ステップＳ２２０）、メニュー画面６０のジョブリスト領域６２にジョブリストを追加し（ステップＳ２３０）、メニュー画面６０を表示して（ステップＳ２７０）、印刷ジョブ作成処理における印刷サービスの選択処理（図１０のステップＳ１００）の状態、即ち、新たな印刷ジョブの作成を行なうことができる状態とする。
【００４２】
図１６は、作成中の印刷ジョブ（以下、作成中ジョブともいう）の管理状態の一例を示す説明図である。作成中ジョブは、印刷サービスが選択されたときにジョブＩＤが付与されてジョブ管理ファイル１２０に登録されると共に管理領域１２２が作成される。そして、画像登録画面７０により画像が登録される際に画像登録用領域１２４が設けられる。管理領域１２２は、印刷ジョブの作成工程がどの工程にあるかを示すジョブ状態や作成中ジョブに含まれる各ページのファイル名が格納される作品管理領域１２２ａと、各ページが格納されるページ格納領域１２２ｂとにより構成されている。ここで、ページ格納領域１２２ｂは、ページの概念が生じるテンプレートが選択された段階で作成される。画像登録用領域１２４は、各画像のファイル名やファイル形式が格納される画像管理領域１２４ａと、ファイル形式毎に画像が格納される画像格納領域１２４ｂとにより構成されている。なお、実施例の印刷ジョブ作成装置２０では、テンプレートの選択処理が実行されるまでは、ページの概念が生じないため、テンプレートが選択されたとき、即ちレイアウト編集処理に移行したときに管理領域１２２のページ格納領域１２２ｂは作成されることになる。したがって、図１５のジョブ中断処理のステップＳ２２０の印刷ジョブの状態の記憶処理は、テンプレートが選択される前の段階の画像登録画面７０やテンプレート選択画面８０で「メニューに戻る」ボタン７１ｆ，８１ｆが操作されたときには、作品管理領域１２２ａにジョブ状態を格納する処理となり、テンプレートが選択された後の段階のレイアウト編集画面９０や印刷画面１００で「メニューに戻る」ボタン９１ｆ，１０１ｆが操作されたときには、作品管理領域１２２ａにジョブ状態を格納すると共にページ格納領域１２２ｂに各ページを格納する処理となる。画像登録画面７０で「メニューに戻る」ボタン７１ｆが操作されてメニュー画面６０に戻ったときの一例を図１７に示す。図示するように、メニュー画面６０のジョブリスト領域６２に対象の作成中ジョブが追加表示される。このとき、作成中ジョブの状況には、作成工程が表示され、出力先には図１５のステップＳ２１０で入力した出力先が表示される。こうした表示により、ユーザは作成中ジョブがいずれの工程にあるかを把握することができる。
【００４３】
図１５のジョブ中断処理のステップＳ２１０で出力先がローカルプリンタ（インクジェットプリンタ４６）ではないときは、印刷ジョブの作成を中断する際の工程がその印刷ジョブを出力先に出力する出力工程以降の工程であるか否か判定する（ステップＳ２４０）。中断したときの工程が出力工程より前の工程であるときには、出力先がローカルプリンタ（インクジェットプリンタ４６）であるときと同様に、作成中の印刷ジョブの状態を記憶し（ステップＳ２２０）、メニュー画面６０のジョブリスト領域６２にジョブリストを追加し（ステップＳ２３０）、メニュー画面６０を表示して（ステップＳ２７０）、ジョブ中断処理を終了する。このとき、表示されるメニュー画面６０のジョブリスト領域６２の出力先には、出力先のプリンタ名や管理名称（店舗Ｂ）が表示される。
【００４４】
印刷ジョブの作成を中断したときの工程が出力工程以降の工程であるときには、印刷ジョブをジョブファイルとしてファイル化し（ステップＳ２５０）、ジョブファイルをジョブ管理装置４０に送信する（ステップＳ２６０）。ここで、印刷ジョブのファイル化処理は、図１６に示すジョブ管理状態において、作品管理領域１２２ａとページ格納領域１２２ｂの内容をジョブファイルとしてファイル化することにより行なわれる。図１８にジョブファイルのデータ構成の一例を示す。実施例では、ジョブファイルに含まれるデータとしては、ジョブ管理装置４０に送信する際に印刷ジョブ作成装置２０で設定する送信用ジョブＩＤや送信元の印刷ジョブ作成装置２０の装置ＩＤ，送信先の印刷ジョブ作成装置２０の装置ＩＤ，出力先としてプリンタが設定されたときのプリンタのＩＤ（プリンタＩＤ），用紙種類，印刷ジョブの現在の作成工程，送信日時，ページ毎の画像データや印刷設定などのジョブデータが含まれる。
【００４５】
図１９は、印刷ジョブ作成装置２０から送信されるジョブファイルを受信する際にジョブ管理装置４０で実行されるジョブ受信管理処理の一例を示すフローチャートである。ジョブ受信管理処理では、印刷ジョブ作成装置２０からジョブファイルが送信されると、ジョブファイルを受信すると共に（ステップＳ３００）、ジョブファイルに含まれるジョブデータをハードディスクなどの図示しない記憶装置に格納し（ステップＳ３１０）、ジョブファイルを管理するためのジョブ管理データをジョブ管理データベース４４に登録する（ステップＳ３２０）。ジョブ管理データベース４４に登録されるジョブ管理データのデータ構造の一例を図２０に示す。この例では、ジョブ管理データとしては、登録順に付与されるジョブ番号，送信用ジョブＩＤ，送信元の印刷ジョブ作成装置２０の装置ＩＤ，送信先の印刷ジョブ作成装置２０の装置ＩＤ，出力先としてプリンタが設定されたときのプリンタのＩＤ（プリンタＩＤ），用紙種類，印刷ジョブの現在の作成工程，ジョブファイルを受信した受信日時，ジョブファイルを送信先の印刷ジョブ作成装置２０に送信した送信日時，ジョブデータの格納先などが含まれる。これらのデータのうち、「送信日時」以外の各データがジョブ受信管理処理のステップＳ３１０の処理で登録され、「送信日時」についてはジョブファイルを送信先の印刷ジョブ作成装置２０に送信したときに登録される。
【００４６】
こうしてジョブ管理装置４０のジョブ管理データベース４４に登録された印刷ジョブは、送信先としてのローカルネットワーク１５に接続された印刷ジョブ作成装置２０ｃによってジョブファイルの送信の要請がなされたときに、ジョブファイルとして要請先の印刷ジョブ作成装置２０ｃに送信される。図２１は、印刷ジョブ作成装置２０によるジョブファイルの送信の要請がなされたときにジョブ管理装置４０により実行されるジョブ送信管理処理の一例を示すフローチャートである。このジョブ送信管理処理は、ジョブ送信管理処理が実行されると、ジョブ管理装置４０は、ジョブ管理データベース４４から要請先の印刷ジョブ作成装置２０の装置ＩＤと送信先の印刷ジョブ作成装置２０の装置ＩＤとが一致する未送信のジョブ管理データを抽出し（ステップＳ４００）、ジョブ管理データにおけるジョブデータ格納先からジョブデータを読み出して受信したジョブファイルとして要請先の印刷ジョブ作成装置２０に送信する（ステップＳ４１０）。このとき、対応するジョブ管理データの送信日時にその日時が登録される。
【００４７】
ローカルネットワーク１５の印刷ジョブ作成装置２０ｃでは、ジョブ管理装置４０からジョブファイルが送信されると、図２２に例示するジョブ受信処理のステップＳ５１０以降の処理として処理される。この図２２のジョブ受信処理には、ジョブ管理装置４０にジョブファイルの送信を要請する処理（ステップＳ５００）も示されている。ジョブファイルの送信の要請に基づいてジョブ管理装置４０からジョブファイルが送信されると、印刷ジョブ作成装置２０では、ジョブファイルを受信し（ステップＳ５１０）、受付順のジョブＩＤを付与し（ステップＳ５２０）、ジョブファイルを印刷ジョブとして対応する管理領域１２２の作品管理領域１２２ａやページ格納領域１２２ｂを作成して格納し（ステップＳ５３０）、出力先としてローカルネットワーク１５に接続されたプリンタが設定されているときには出力先のプリンタＩＤに一致するプリンタを出力先として設定し（ステップＳ５４０）、受信したジョブをジョブリスト領域６２に表示する（ステップＳ５５０）。図２３は、ジョブファイルを受信したときの印刷ジョブの管理状態の一例を示す説明図である。この図２３の例では、ジョブファイルを受信すると、「０００ＸＸ」のジョブＩＤを付与すると共にこのジョブＩＤ「０００ＸＸ」に対応する作品管理領域１２２ａ，ページ格納領域１２２ｂを含む管理領域１２２を作成して受信したジョブファイルを印刷ジョブに変換して格納している。上述したように、実施例では、ジョブファイルは作品管理領域１２２ａとページ格納領域１２２ｂとの内容をファイル化するから、ジョブ受信処理では管理領域１２２に属する部分だけが作成され、画像登録用領域１２４に属する部分については作成されない。なお、メニュー画面６０のジョブリスト領域６２に表示される印刷ジョブは、印刷ジョブ作成装置２０ｃにより作成途中で中断された印刷ジョブと同様に表示され、コメントの欄にはジョブファイルの送信元の店舗である「店舗Ａ」が表示される。したがって、ユーザは、受信したジョブであるか否かを判別することができると共に作成途中にある印刷ジョブの作成を完了して実行し、得られる印刷物を店舗Ａに配送する必要があることが解る。
【００４８】
いま、店舗Ａの印刷ジョブ作成装置２０で図６の出力先設定画面６６により大伸ばしのＡ１サイズの出力先として店舗Ｂの印刷ジョブ作成装置２０ｃが設定され、印刷サービスとして大伸ばしが選択されて印刷ジョブが作成され、図１２のレイアウト編集画面９０を表示した状態で「メニューに戻る」ボタン９１ｆが操作されたときを考える。大伸ばしのＡ１サイズの出力先には印刷ジョブ作成装置２０ｃのＩＤとＩＰアドレスとが設定されているから、「メニューに戻る」ボタン９１ｆが操作されることにより、この作成中の印刷ジョブは店舗Ｂの印刷ジョブ作成装置２０ｃの装置ＩＤを含むジョブファイルとしてジョブ管理装置４０に送信され、ジョブ管理データベース４４に登録される。店舗Ｂの印刷ジョブ作成装置２０ｃからジョブ管理装置４０に対してジョブファイルの送信の要請がなされると、ジョブ管理装置４０は店舗Ｂの印刷ジョブ作成装置２０ｃの装置ＩＤとを含むジョブファイルを店舗Ｂの印刷ジョブ作成装置２０ｃに送信する。店舗Ｂの印刷ジョブ作成装置２０ｃでは、この印刷ジョブを格納し、ジョブリスト領域６２の状況の欄に現在の作成工程である「レイアウト編集」と表示すると共にコメントの欄に「店舗Ａ」と表示する。ユーザは、ジョブリスト領域６２からこの印刷ジョブを選択することにより、次に説明するジョブ再開処理によって印刷ジョブの作成を中断した工程から再開することができる。
【００４９】
図２４は、作成中ジョブが選択されて再開指示がなされたときに実行されるジョブ再開処理の一例を示すフローチャートである。この処理はジョブ再開処理部２７により実行される。ジョブリスト領域６２から作成中ジョブが選択されて再開指示されると、ジョブＩＤに基づいて対応する作成中ジョブの作品管理領域１２２ａからジョブ状態を読み込むと共に（ステップＳ６００）、ジョブ状態に応じた処理画面を表示し（ステップＳ６１０）、対応する作成中ジョブのページ格納領域１２２ｂに格納された各ページを用いて作成中ジョブを再現して（ステップＳ６２０）、印刷ジョブの作成処理を再開する（ステップＳ６３０）。こうした処理により作成中の印刷ジョブを中断した状態から再開することができる。
【００５０】
次に、印刷画面１００で「印刷開始」ボタン１０２ｃが操作されたときの処理について説明する。図２５は、「印刷開始」ボタン１０２ｃが操作されたときに印刷ジョブ作成装置２０で実行される印刷指示処理の一例を示すフローチャートである。印刷指示処理が実行されると、まず、印刷ジョブの印刷サービスと用紙サイズとに基づいて出力先設定画面６６を用いて設定された印刷ジョブを出力すべき出力先を入力すると共に（ステップＳ７００）、入力した出力先が店舗Ａのローカルネットワーク１４に接続されているローカルプリンタ（インクジェットプリンタ４６）であるか否かを判断する（ステップＳ７１０）。ローカルプリンタであるか否かの判断は、図６の出力先設定画面６６を用いて説明したように、実施例の出力先の設定では、ローカルプリンタを出力先に設定するときには印刷ジョブ作成装置２０にインストールされたプリンタドライブ名が設定されており、ローカルプリンタではないときには他のローカルネットワーク１５に接続された印刷ジョブ作成装置２０の装置ＩＤやそのＩＰアドレス，対応するプリンタＩＤが設定されているから、これらを判定することにより行なうことができる。
【００５１】
出力先がローカルプリンタ（インクジェットプリンタ４６）であるときは、そのプリンタドライバを起動して印刷用データを作成し（ステップＳ７２０）、作成した印刷用データをローカルプリンタに出力する（ステップＳ７３０）。ローカルプリンタ（インクジェットプリンタ４６）は、印刷用データに基づいて印刷を実行する。
【００５２】
一方、出力先がローカルプリンタ（インクジェットプリンタ４６）ではないときは、印刷ジョブをジョブファイルとしてファイル化し（ステップＳ７４０）、ジョブファイルをジョブ管理装置４０に送信する（ステップＳ７５０）。この印刷ジョブのジョブファイル化の処理やジョブファイルの送信処理についてはジョブ中断処理と同様である。これにより、印刷ジョブの作成を中断せずに作成したときでも、出力先設定画面６６によって設定した出力先に印刷ジョブを出力することができる。
【００５３】
以上説明した実施例の印刷ジョブ作成装置２０によれば、出力先設定画面６６で印刷サービス毎に用紙サイズ毎に出力先を設定することにより、作成中の印刷ジョブや作成した印刷ジョブを所望の出力先に自動的に出力することができる。しかも、出力先に出力するタイミングを出力先設定画面６６で設定した出力工程以降とするから、出力する前に処理すべき事項を処理せずに出力先に出力するといった不都合を回避することができる。
【００５４】
実施例の印刷ジョブ作成装置２０によれば、出力先として、ローカルネットワークに接続された他の印刷ジョブ作成装置２０を設定することができるから、例えば印刷ジョブを受け付けると共にテンプレートの選択までを行なう印刷ジョブ作成装置２０とその後にレイアウト編集を行なう印刷ジョブ作成装置２０とを別の場所に設置して分業して作成することができる。また、出力先として、ローカルネットワークに接続されたローカルプリンタを設定することができるから、印刷時にプリンタを設定することなく迅速に印刷することができる。
【００５５】
さらに、実施例の印刷ジョブ作成装置２０によれば、出力先として、異なるローカルネットワークに接続された印刷ジョブ作成装置２０を設定することができるから、例えば複数の店舗の窓口に印刷ジョブを受け付けると共にテンプレートの選択までを行なう印刷ジョブ作成装置２０を設置し、店舗とは異なる場所にレイアウト編集を行なう複数台の印刷ジョブ作成装置２０を設置し、複数の店舗で受け付けた印刷ジョブのレイアウト編集を他の場所で一括して行なうなど、ローカルネットワークを超えて印刷ジョブを分業して作成することができる。また、出力先として、異なるローカルネットワークに接続されたプリンタを設定することができるから、作成した印刷ジョブを異なるローカルネットワークに接続されたプリンタで容易に実行することができる。
【００５６】
実施例の印刷ジョブ作成装置２０によれば、出力先や用紙種類，出力工程の設定は帳票形式で行なうから、印刷サービス毎および用紙サイズ毎に容易に出力先や用紙種類，出力工程を設定することができる。また、これらの設定はプルダウンメニューにより選択入力するものとしたから、これらの設定を容易に行なうことができる。
【００５７】
実施例のジョブ管理装置４０によれば、印刷ジョブ作成装置２０から送信されたジョブファイルを受信してジョブ管理データベース４４に登録し、送信先の印刷ジョブ作成装置２０から要請されたときに登録したジョブファイルを要請先の印刷ジョブ作成装置２０に送信することができる。したがって、送信先の印刷ジョブ作成装置２０の状態に拘わらず、その印刷ジョブ作成装置２０を送信先としてジョブファイルを送信することができる。この結果、印刷ジョブ作成装置２０間のジョブファイルのやりとりを管理することができる。
【００５８】
こうした実施例の印刷ジョブ作成装置２０やジョブ管理装置４０を備える印刷ジョブ管理システム１０によれば、異なるローカルネットワーク１４，１５に接続された印刷ジョブ作成装置２０間で印刷ジョブを分業して作成したり、印刷ジョブの実行を効率よく行なうことができる。
【００５９】
ここで、実施例の印刷ジョブ作成装置２０は、出力先設定管理部３０が出力先設定手段に相当し、ジョブ中断処理部２６やジョブ送信管理部２８，ジョブ受信管理部２９，出力先設定管理部３０がジョブ出力手段に相当する。
【００６０】
実施例の印刷ジョブ作成装置２０は、ジョブ管理装置４０を備え、画像登録画面７０やテンプレート選択画面８０，レイアウト編集画面９０，印刷画面１００の「メニューに戻る」ボタン７１ｆ，８１ｆ，９１ｆ，１０１ｆが操作されたときや印刷画面１００の「印刷開始」ボタン１０２ｃが操作されたときに、出力先が異なるローカルネットワークに接続されているときには印刷ジョブをジョブファイルとしてジョブ管理装置４０に送信し、送信先の印刷ジョブ作成装置２０がジョブ管理装置４０にジョブファイルの送信を要求したときにジョブ管理装置４０からジョブファイルを送信するものとしたが、ジョブ管理装置４０のない構成としてもよい。この場合、印刷ジョブ作成装置２０からジョブファイルを直接送信先の印刷ジョブ作成装置２０に送信すればよい。
【００６１】
実施例の印刷ジョブ作成装置２０では、印刷サービス毎および用紙サイズ毎に出力先と用紙種類と出力工程とを設定するものとしたが、印刷サービス毎および用紙サイズ毎に出力先と出力工程は設定するが、用紙種類は設定しないものとしてもよいし、印刷サービス毎および用紙サイズ毎に出力先は設定するが、用紙種類と出力工程は設定しないものとしてもよい。また、出力先は、印刷サービス毎および用紙サイズ毎に設定する必要はなく、用紙サイズには拘わらず、印刷サービス毎に設定するものとしてもよい。
【００６２】
実施例の印刷ジョブ作成装置２０では、出力先として、同一のローカルネットワークに接続された他の印刷ジョブ作成装置２０やローカルプリンタ，異なるローカルネットワークに接続された他の印刷ジョブ作成装置２０やプリンタを設定できるものとしたが、出力先として同一および異なるローカルネットワークの他の印刷ジョブ作成装置２０は設定できるがプリンタは設定できないものとしたり、出力先として同一および異なるローカルネットワークのプリンタは設定できるが他の印刷ジョブ作成装置２０は設定できないものとしてもよい。この後者の場合、画像登録画面７０やテンプレート選択画面８０，レイアウト編集画面９０，印刷画面１００の「メニューに戻る」ボタン７１ｆ，８１ｆ，９１ｆ，１０１ｆが操作されたときには、設定されたプリンタに対応付けて設定された印刷ジョブ作成装置２０にジョブファイルを出力するものとすればよい。
【００６３】
実施例の印刷ジョブ作成装置２０では、帳票形式により印刷サービス毎および用紙サイズ毎の出力先や用紙種類，出力工程を設定するものとしたが、帳票形式以外の形式により印刷サービス毎および用紙サイズ毎の出力先や用紙種類，出力工程を設定するものとしてもよい。また、出力先や用紙種類，出力工程の設定は、プルダウンメニューからの選択入力により行なうものとしたが、プルダウンメニューを用いずに直接入力するなど種々の手法により設定するものとしてもよい。
【００６４】
実施例の印刷ジョブ作成装置２０では、メニュー画面６０から印刷サービスとして、大伸ばし，ダイジェスト，カレンダー，アイデア，ポストカード，写真名刺，証明写真，インデックス，シール，ラベルから選択できるものとしたが、これらのすべての印刷サービスを選択できる必要はなく、これらの印刷サービスの一部から選択できるものとしたり、これらの印刷サービスとは異なる印刷サービスから選択できるものとしたり、これらの印刷サービスとは異なる印刷サービスとこれらの印刷サービスとを組み合わせたサービスから選択できるものとしてもよい。
【００６５】
実施例の印刷ジョブ作成装置２０では、印刷サービスの他にアルバムサービスやＣＤ書き込みサービスを選択することができるものとしたが、こうしたアルバムサービスやＣＤ書き込みサービスを選択することができないものとしてもよい。また、ＣＤ書き込みサービスに代えて他の記憶媒体、例えばフレキシブルディスクやＭＤ，ＤＶＤ，フラッシュメモリなどへの書き込みサービスを行なうものとしてもよい。
【００６６】
実施例の印刷ジョブ作成装置２０では、ジョブリスト領域６２に作成中ジョブの情報として、状況，ジョブＩＤ，サービス名，受付時間，更新時間，用紙サイズ，部数，出力先，コメントを表示するものとしたが、これらの情報のすべてを表示する必要はなく、これらの情報のうちの一部の情報を表示するものとしたり、これらの情報とは異なる情報を表示するものとしてたり、これらの情報とは異なる情報とこれらの情報の一部とを組み合わせた情報を表示するものとしてもよい。
【００６７】
実施例の印刷ジョブ作成装置２０では、印刷ジョブの作成工程は、印刷サービスの選択した後の工程として，画像の登録処理の工程，テンプレートの選択処理の工程，レイアウトや編集の処理の工程，印刷の工程の４つの工程としたが、工程の設定は如何なる設定としてもかまわない。
【００６８】
実施例の印刷ジョブ作成装置２０では、印刷ジョブの中断は如何なる工程のどの状態でも可能なものとしたが、予め定めた工程の状態のときだけ中断できるものとしてもよい。
【００６９】
実施例では、本発明の一実施形態として印刷ジョブ作成装置２０の形態やジョブ管理装置４０の形態，印刷ジョブ作成装置２０とジョブ管理装置４０とを備える印刷ジョブ管理システム１０の形態として説明したが、出力先を設定する方法の形態としたり、こうした出力先の設定方法を用いて印刷ジョブを作成して出力する印刷ジョブ作成出力方法の形態としてもよい。また、コンピュータを印刷ジョブ作成装置２０として機能させるプログラムの形態としたり、コンピュータに出力先の設定方法を実現させるプログラムの形態としたり、コンピュータに印刷ジョブ作成出力方法を実行させるプログラムの形態としてもよい。このプログラムの形態の場合、印刷ジョブ作成装置２０の動作やジョブ管理装置４０の動作として説明した各動作を各手順として適当なプログラミング言語を用いてプログラムすればよい。
【００７０】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】印刷ジョブ管理システム１０の構成の概略を示す構成図。
【図２】印刷ジョブ作成装置２０の構成の概略を示す説明図。
【図３】ジョブ管理装置４０の構成の概略を示す構成図。
【図４】メニュー画面６０の一例を示す説明図。
【図５】環境設定選択画面６５の一例を示す説明図。
【図６】出力先設定画面６６の一例を示す説明図。
【図７】出力先設定欄６７のプルダウンメニューの一例を示す説明図。
【図８】用紙種類設定欄６８のプルダウンメニューの一例を示す説明図。
【図９】出力工程設定欄６９のプルダウンメニューの一例を示す説明図。
【図１０】印刷ジョブ作成処理の一例を示すフローチャート。
【図１１】画像登録画面７０の一例を示す説明図。
【図１２】テンプレート選択画面８０の一例を示す説明図。
【図１３】レイアウト編集画面９０の一例を示す説明図。
【図１４】印刷画面１００の一例を示す説明図。
【図１５】ジョブ中断処理の一例を示すフローチャート。
【図１６】印刷ジョブの管理状態の一例を示す説明図。
【図１７】メニュー画面６０の一例を示す説明図。
【図１８】ジョブファイルのデータ構成の一例を示す説明図。
【図１９】ジョブ受信管理処理の一例を示すフローチャート。
【図２０】ジョブ管理データのデータ構造の一例を示す説明図。
【図２１】ジョブ送信管理処理の一例を示すフローチャート。
【図２２】ジョブ受信処理の一例を示すフローチャート。
【図２３】印刷ジョブの管理状態の一例を示す説明図。
【図２４】ジョブ再開処理の一例を示すフローチャート。
【図２５】印刷指示処理の一例を示すフローチャート。
【符号の説明】
１０  印刷ジョブ管理システム、１２  ネットワーク、１４，１５  ローカルネットワーク、１６，１７  ファイヤウォール、２０，２０ａ〜２０ｃ  印刷ジョブ作成装置、２１  サービス設定管理部、２２  画像登録管理部、２３  テンプレート設定管理部、２４  レイアウト編集管理部、２５  印刷管理部、２６  ジョブ中断処理部、２７  ジョブ再開処理部、２８  ジョブ送信管理部、２９  ジョブ受信管理部、３０  出力先設定管理部、４０  ジョブ管理装置、４１  ジョブ受信管理部、４２  ジョブ送信管理部、４４  ジョブ管理データベース、４６，４７  インクジェットプリンタ、４８  大型プリンタ、６０  メニュー画面、６１  サービス選択領域、６２  ジョブリスト領域、６３  「アプリケーションの終了」ボタン、６４  「環境設定」ボタン、６５  環境設定選択画面、６５ａ  「出力先の設定」ボタン、６６  出力先設定画面、６７  出力先設定欄、６７ａ  プルダウンメニュー、６８  用紙種類設定欄、６８ａ  プルダウンメニュー、６９  出力工程設定欄、６９ａ  プルダウンメニュー、７０  画像登録画面、７１，８１，９１，１０１  工程表示領域、７１ａ，８１ａ，９１ａ，１０１ａ  「サービス種類表示」ボタン，７１ｂ，８１ｂ，９１ｂ，１０１ｂ  「画像登録」ボタン、７１ｃ，８１ｃ，９１ｃ，１０１ｃ  「テンプレート選択」ボタン、７１ｄ，８１ｄ，９１ｄ，１０１ｄ  「レイアウト編集」ボタン、７１ｅ，８１ｅ，９１ｅ，１０１ｅ  「印刷」ボタン、７１ｆ，８１ｆ，９１ｆ，１０１ｆ  「メニューに戻る」ボタン、７２  画像登録処理領域、７２ａ，８２ａ，９２ａ  「次のステップへ」ボタン、７２ｂ，８２ｂ，９２ｂ，１０２ｂ  「前のステップへ」ボタン、７３  作業領域、７４  画像選択領域、７４ａ  格納場所表示領域７４ａ，７４ｂ  画像表示領域、７５  登録画像表示領域、７５ａ  画像表示領域、７５ｂ  「登録削除」ボタン、７５ｃ  「すべて登録削除」ボタン、７６  「登録」ボタン、７７  「すべて登録」ボタン、８０  テンプレート選択画面、８２  テンプレート選択処理領域、８３  設定領域、８４  テンプレート選択領域、８５ａ〜８５ｆ  タグ、８６ａ  テンプレート表示領域、９０  レイアウト編集画面、９２  レイアウト編集処理領域、９２ｃ  「編集」ボタン、９２ｄ  「表示倍率」ボタン、９３  レイアウト編集領域、９４  画像選択領域、９４ａ  「配置」ボタン、９４ｂ  「入れ替え」ボタン、９４ｃ  「複数配置」ボタン、９５ａ，９５ｂ  タグ、９６ａ  画像表示領域、９７  サムネイル表示領域、１００  印刷画面、１０２  印刷処理領域、１０２ｃ  「印刷開始」ボタン、１０２ｄ  「書き出し」ボタン、１０３  印刷画像表示領域、１０４  ジョブ情報表示領域、１０５  印刷条件設定領域、１０６  プリンタ設定領域、１２０  ジョブ管理ファイル、１２２  管理領域、１２２ａ  作品管理領域、１２２ｂ  ページ格納領域、１２４  画像登録用領域、１２４ａ  画像管理領域、１２４ｂ  画像格納領域。
【図１】
2004326588.tif 000003
【図２】
2004326588.tif 000004
【図３】
2004326588.tif 000005
【図４】
2004326588.tif 000006
【図５】
2004326588.tif 000007
【図６】
2004326588.tif 000008
【図７】
2004326588.tif 000009
【図８】
2004326588.tif 000010
【図９】
2004326588.tif 000011
【図１０】
2004326588.tif 000012
【図１１】
2004326588.tif 000013
【図１２】
2004326588.tif 000014
【図１３】
2004326588.tif 000015
【図１４】
2004326588.tif 000016
【図１５】
2004326588.tif 000017
【図１６】
2004326588.tif 000018
【図１７】
2004326588.tif 000019
【図１８】
2004326588.tif 000020
【図１９】
2004326588.tif 000021
【図２０】
2004326588.tif 000022
【図２１】
2004326588.tif 000023
【図２２】
2004326588.tif 000024
【図２３】
2004326588.tif 000025
【図２４】
2004326588.tif 000026
【図２５】
2004326588.tif 000027